(57)【要約】【課題】計数時に活魚を傷つけることなく客観的で正確な計数を行えるとともに、魚に大小があっても個人差がなく、熟練とか労力、時間がかからない上、作業者等の人員削減と計数コストの低減及び省力化を可能とし、作業の能率を高めるとともに計数中に魚が酸欠状態になるおそれがない水中における活魚の計数方法とその装置を得ることを目的とする。【解決手段】計数センサ１３を装備した計数フレーム６と、選別網１４を装備して計数フレーム６の一面を被覆する選別網フレーム１５とからなる計数機２０が組み込まれた捕集網３を養殖用小割，生け簀その他の養殖施設２内の底面に沿う位置まで沈めてから、該捕集網３を徐々に引き上げることによって、活魚を捕集網３に組み込まれた計数機２０の選別網１４と計数センサ１３に順次通過させることにより、その数をカウントして活魚の数を計数することを特徴とする水中における活魚の計数方法と装置を基本手段とする。【選択図】図１
2005102638.tif 000002
【特許請求の範囲】
【請求項１】
計数センサを装備した計数フレームと、選別網を装備して計数フレームの一面を被覆する選別網フレームとからなる計数機が組み込まれた捕集網を養殖用小割，生け簀その他の養殖施設内に沈め、活魚を捕集網に組み込まれた計数機の選別網と計数センサに順次通過させることにより、その数をカウントして活魚の数を計数することを特徴とする水中における活魚の計数方法。
【請求項２】
計数センサを装備した計数フレームと、選別網を装備して計数フレームの一面を被覆する選別網フレームとからなる計数機が組み込まれた捕集網を養殖用小割，生け簀その他の養殖施設内の底面に沿う位置まで沈めてから、該捕集網を徐々に引き上げることによって、活魚を捕集網に組み込まれた計数機の選別網と計数センサに順次通過させることにより、その数をカウントして活魚の数を計数することを特徴とする水中における活魚の計数方法。
【請求項３】
計数センサを装備した計数フレームと、選別網を装備して計数フレームの一面を被覆する選別網フレームとからなる計数機が組み込まれた捕集網を養殖用小割，生け簀その他の養殖施設内の底面を被覆するように沈め、養殖施設内の活魚を捕集網の上に位置させてから、該捕集網を徐々に引き上げることによって、活魚を捕集網に組み込まれた計数機の選別網及び計数センサに順次通過させることにより、その数をカウントして活魚の数を計数することを特徴とする水中における活魚の計数方法。
【請求項４】
計数センサを装備した計数フレームと、選別網を装備して計数フレームの一面を被覆する選別網フレームとからなる計数機が組み込まれた捕集網を活魚が収納されていない養殖用小割，生け簀その他の養殖施設内に設置し、その後に計数すべき活魚を該養殖施設内に供給することによって、活魚を計数機の選別網及び計数センサに順次通過させて、その数をカウントして活魚の数を計数することを特徴とする水中における活魚の計数方法。
【請求項５】
計数センサを装備した計数フレームと、選別網を装備して計数フレームの一面を被覆する選別網フレームとからなる計数機と、該計数センサから導出された信号線を介して活魚の計数信号を表示する電子機器とからなることを特徴とする水中における活魚の計数装置。
【請求項６】
計数センサを装備した計数フレームと、選別網を装備して計数フレームの一面を被覆する選別網フレームとからなる計数機が略中心位置に組み込まれた所定面積の捕集網と、計数センサから導出された信号線を介して活魚の計数信号を表示する電子機器とからなることを特徴とする水中における活魚の計数装置。
【請求項７】
前記計数センサは発光ダイオードを利用した複数の光信号発光部と光信号感知部とからなり、活魚が光信号発光部と光信号感知部との間を通過する際の光信号が遮断された回数をカウントして電子機器に計数信号として表示する請求項５又は６に記載の水中における活魚の計数装置。
【発明の詳細な説明】
【技術分野】
【０００１】
本発明は魚類の養殖施設等において、生育途中や出荷時に活魚の数を水中で正確に、かつ、活魚にストレスを与えることなく計数する方法及びその装置に関するものである。
【背景技術】
【０００２】
従来から養殖施設等の生け簀内に放流されている活魚の計数方法及び該生け簀内に導入する活魚の計数方法として、「総がけ方法」、「総読方法」、「機器使用方法」が知られている。「総がけ方法」とは魚を一個所に集めてタモ網ですくってから水切りを行い、総重量をチキリで計量してからサンプルとしての魚を少量抜き取る。そして、このサンプルの魚の重量と数を計量して平均目廻りを算出し、その平均目廻りで総重量を割ることによって活魚の全数を推定する方法である。「総読方法」とは活魚の総数量を熟練者が一匹一匹数える方法であり、「機器使用方法」は稚魚等を水流で流しながらセンサーで読み取る方法である。
【０００３】
上記に関し、特許文献１には水中の活魚を検出できる検出手段を備えた計数手段と、活魚を重ならずに検出手段の検出エリアに導く水路に連通され、外部から活魚が供給されるアプローチ槽とを備えた活魚計数装置において、アプローチ槽の水中に臨まされ前記検出手段から適宜離間して配設されて検出手段の検出エリアに近接離反自在であるとともにアプローチ槽の内壁との間隙部を魚が通れないようにされた追い子を備えた追い出し手段とを備えた活魚計数装置例が開示されている。
【特許文献１】特開２００１−４５９０５号公報
【発明の開示】
【発明が解決しようとする課題】
【０００４】
前記した「総がけ方法」のように魚を集めてタモ網ですくって総重量をチキリで計量してからサンプルの魚の重量と数を計量して平均目廻りを算出し、平均目廻りで総重量を割ることで活魚の全数を推定する方法は、計数が不正確で客観的ではないという課題がある。即ち、魚には大小がある上、平均目廻りを出すための計量方法に個人差があるため、測定者が異なると計数結果に差異が生じてしまうこととなる。特に稚魚期にはある程度有効であっても成魚では魚の取り扱いが困難となり、正確性を期すことはできない。
【０００５】
「総読方法」のように活魚の総数量を一匹一匹数える方法は、総がけ方法と同様に魚を一個所に集めるので魚体が傷つきやすく、計数に熟練と多大な労力と時間を要するとともに作業が非能率的であり、計数中に魚が酸欠状態になりやすいという問題がある。更に「総読方法」は魚の稚魚期には有効であるが、魚体が大きくなると魚の取り扱いが困難になるという問題もある。また、陸上施設では計数可能であっても大量の活魚を海上生け簀で計数することは困難である。
【０００６】
また、稚魚等を水流で流しながらセンサーで読み取る「機器使用方法」は、稚魚が２匹３匹連なっている場合に１匹と誤読したり、逆流した稚魚を再読することがあって計数誤差が大きく、しかも対象は稚魚のみであって成魚には適用することができないという問題がある。稚魚については水の流れに沿って泳ぐ性質を利用して追い込み器具により水路を通して計数可能であるが、成魚の場合には小量の流れに沿って泳ぐことがないので水路に追い込むことが難しく、水路を深くしたり設備の規模を大きくしなければならないという問題もある。また、使用する機器は大型であるため、養殖施設間を持ち運んで計数することは難しいという難点がある。
【０００７】
更に出荷時等において大量の魚を計数するには多大の労力と時間を必要とし、非能率的であるとともに時間オーバーにより魚が酸欠状態におかれて衰弱する問題がある他、「総がけ方法」の場合には暴れている魚をタモ網ですくってチキリで計量しているため魚体が損傷しやすく、計数時に魚体が受けた傷がその後の養殖時に病気の原因になるケースも多々ある。
【０００８】
そこで本発明は計数時に活魚を傷つけることなく客観的で正確な計数を行えるとともに、魚に大小があっても個人差がなく、熟練とか労力、時間がかからない上、作業者等の人員削減と計数コストの低減及び省力化を可能とし、作業の能率を高めるとともに計数中に魚が酸欠状態になるおそれがない水中における活魚の計数方法とその装置を得ることを目的とするものである。
【課題を解決するための手段】
【０００９】
本発明は上記目的を達成するために、計数センサを装備した計数フレームと、選別網を装備して計数フレームの一面を被覆する選別網フレームとからなる計数機が組み込まれた捕集網を養殖用小割，生け簀その他の養殖施設内に沈め、活魚を捕集網に組み込まれた計数機の選別網と計数センサに順次通過させることにより、その数をカウントして活魚の数を計数する水中における活魚の計数方法、及び前記計数機が組み込まれた捕集網を養殖用小割，生け簀その他の養殖施設内の底面に沿う位置まで沈めてから、該捕集網を徐々に引き上げることによって、活魚を捕集網に組み込まれた計数機の選別網と計数センサに順次通過させることにより、その数をカウントして活魚の数を計数する水中における活魚の計数方法を提供する。
【００１０】
また、前記計数機が組み込まれた捕集網を養殖用小割，生け簀その他の養殖施設内の底面を被覆するように沈め、養殖施設内の活魚を捕集網の上に位置させてから、該捕集網を徐々に引き上げることによって、活魚を捕集網に組み込まれた計数機の選別網及び計数センサに順次通過させることにより、その数をカウントして活魚の数を計数するか、前記計数機が組み込まれた捕集網を活魚が収納されていない養殖用小割，生け簀その他の養殖施設内に設置し、その後に計数すべき活魚を該養殖施設内に供給することによって、活魚を計数機の選別網及び計数センサに順次通過させて、その数をカウントして活魚の数を計数するようにしている。
【００１１】
そして、計数センサを装備した計数フレームと、選別網を装備して計数フレームの一面を被覆する選別網フレームとからなる計数機と、該計数センサから導出された信号線を介して活魚の計数信号を表示する電子機器とからなる水中における活魚の計数装置を提供し、前記計数機が略中心位置に組み込まれた所定面積の捕集網と、計数センサから導出された信号線を介して活魚の計数信号を表示する電子機器とからなる構成を提供し、前記計数センサは発光ダイオードを利用した複数の光信号発光部と光信号感知部とからなり、活魚が光信号発光部と光信号感知部との間を通過する際の光信号が遮断された回数をカウントして電子機器に計数信号として表示するようにしてある。
【発明の効果】
【００１２】
本発明によって得られた水中における活魚の計数方法とその装置によれば、外敵に対して下に向かうとともに空気に触れるのを嫌う成魚の習性を利用して、活魚を泳がせながら計数しているため、チキリで計量する従来例のように活魚を傷つけるおそれがなく、客観的で正確な計数を行うことができる。特に魚に大小があっても総読方法のように個人差がなく、測定者が異なっても計数結果に差異が生じることがなく、稚魚のみならず成魚であっても計数の正確性を期すことができる。
【００１３】
計数には熟練とか多大な労力及び時間がかからない上、計数はパソコン等の電子機器を利用しているため、作業者等の人員削減と計数コストの低減及び省力化が可能であり、作業の能率を高めるとともに計数中に魚が酸欠状態になる心配はない。更に対象となる活魚の数量とか大小に影響されることがないので、陸上施設のみならず海上生け簀等で計数することもできる。
【００１４】
また、生け簀内の活魚の数量が正確に把握できるので、正確な投餌量を算出して効率の良い養殖を可能にするとともに養殖魚の適正な在庫管理システムを確立することができ、又減餌による環境汚染の防止効果をもたらすことができ、更には肉質の締まったおいしい魚を養殖することができる。
【発明を実施するための最良の形態】
【００１５】
以下本発明にかかる水中における活魚の計数方法及びその装置の実施形態を説明する。本発明では計数センサを装備した計数フレームと、選別網を装備して計数フレームの一面を被覆する選別網フレームとからなる計数機が組み込まれた捕集網を養殖用小割，生け簀その他の養殖施設内の底面を被覆するように沈め、養殖施設内の活魚を捕集網の上に位置するように追い込んでから、該捕集網を徐々に引き上げることによって、活魚が捕集網に組み込まれた計数機の計数センサを通過して下方に逃げる数をカウントして活魚の全数を計数するようにした水中における活魚の計数方法とその装置を基本手段としている。
【００１６】
図１は本発明の第１の実施形態例を示しており、１は枠体、２は枠体１に上端部が固定された上方が開口した養殖用小割，生け簀その他の養殖施設であり、この養殖施設２の内方に捕集網３が配備されている。この捕集網３は、養殖施設２の底面を被覆できる程度の面積を有し、その四隅部から取り出されたロープ４，４がボート等の船体５，５のウインチに連結されている。この捕集網３の略中心位置には、計数センサ１３を装備した格子状の計数フレーム６と、選別網１４を装備して計数フレーム６の一面を被覆する選別網フレーム１５とからなる計数機２０が組み込まれており、計数フレーム６の計数センサ１３から導出された信号線７が船体５上に設置した電子機器であるパソコン８に接続されている。この計数フレーム６の格子状の間隙を活魚１０が通過する際の信号の切断及びその数を計数センサ１３によって感知・計数するものである。
【００１７】
図８は計数フレーム６を示す計数機２０の裏面図、図９は選別網１４を示す計数機２０の表面図、図１０は計数機２０の側面図、図１１は計数センサ１３の拡大正面図である。図８、図１０、図１１に示すように計数フレーム６に隔壁１６によって区分けされて組み込まれた計数センサ１３は、発光ダイオードを利用した複数の光信号発光部１１と光信号感知部１２とからなり、各光信号発光部１１から発した光が対向する光信号感知部１２によって感知されるようになっている。従って計数対象物である活魚が光信号発光部１１と光信号感知部１２との間を通過すると光信号が遮断され、遮断された回数が光信号感知部１２でカウントされて前記信号線７を介してパソコン８に計数信号として表示されるように構成されている。パソコン８は計数信号の集計、保存、管理を行う機能を有している。なお、計数センサとしては発光ダイオードを利用するものの他に、他の電波、音波、レーザー等を利用した各種の計数センサの利用が可能である。
【００１８】
図９、図１０に示すように計数フレーム６の一面には選別網１４を装備した選別網フレーム１５が計数センサ１３とは相互に一定の間隔Ｈを有して被覆するように一体に連結されている。この選別網フレーム１５に装備された選別網１４はステンレスからなり、一定の格子状の網目を有している。この選別網１４は、計数センサ１３を通過する活魚が重ならないように捌くための役割を有しているものであり、その網目サイズは計数する活魚のサイズに応じて選定する。また、この選別網フレーム１５と計数センサ１３との間に一定の間隔Ｈを空けることにより、活魚が重なることなく、順番に計数フレーム６を通過するようにしたものであり、このように計数フレームの前に選別網１４を装備した選別網フレーム１５を設けたことが本発明の特徴の一つである。そして、上記した計数フレーム６と選別網フレーム１５とが一体に連結されて計数機２０を構成しているものである。
【００１９】
かかる構成によれば、先ず図２に示したように枠体１に固定された養殖用小割，生け簀その他の養殖施設２の中に、船体５，５のウインチからロープ４，４を繰り出しながら計数機２０の重量を利用して捕集網３を養殖施設２の底面に沿って被覆する位置まで沈め、養殖施設２内の活魚１０を捕集網３の上に位置するように追い込む。必要に応じて捕集網３に重石を装着してもよい。
【００２０】
次に図３に示したように捕集網３から取り出されたロープ４，４を船体５，５のウインチで巻き込みながら該捕集網３を徐々に引き上げる。すると計数対象物である活魚１０が先ず計数機２０を構成する選別網フレーム１５の選別網１４を通過し、次に計数フレーム６の計数センサ１３を通過して下方に逃げるので、該計数センサ１３の光信号発光部１１と光信号感知部１２との間で光信号が遮断された回数がカウントされて、信号線７を介してパソコン８に計数信号として表示される。計数フレーム６が水面に達した時点で計数が完了となる。このとき、活魚１０は全て計数フレーム６を通過して、捕集網３の下方の養殖施設２内に位置することとなる。図４は活魚１０が計数フレーム６の計数センサ１３を通過して下方に逃げる状態を示している。この計数方法は、外敵に対して水面とは反対方向に逃げるとともに空気に触れることを嫌うという生魚の性質を利用したものである。なお、選別網フレーム１５と計数センサ１３とは相互に一定の間隔を有しているため、選別網フレーム１５の選別網１４を通過することによって、活魚の密集が捌かれて、計数フレーム６の計数センサ１３を一匹ずつ通過するので、計数ミスが極めて少ない。
【００２１】
上記の実施形態は大きな養殖池又は海上生け簀等の養殖施設を想定しているが、小さな養殖池とか生け簀の場合にはボート等の船体５及びウインチは不要であり、ロープ４，４の繰り出しと引き上げも作業者の手作業で行うことも可能である。
【００２２】
図５〜図７は本発明の第２の実施形態例を示しており、枠体１に固定された大きな養殖用小割，生け簀その他の養殖施設２の一部をたくし上げて活魚１０を養殖施設２ａ側に追い込み、次に図６に示すように活魚が収納されていない養殖施設２の内方上部にロープ４，４を用いて、計数機２０をセットし、船体５から作業者が魚網９を用いて活魚１０をすくい取ってから図７に示すように該活魚１０を計数機２０内に投入する。すると前記したように活魚１０が選別網フレーム１５の選別網１４を通過し、次に計数フレーム６の計数センサ１３を順次通過して下方に逃げるので、光信号発光部１１と光信号感知部１２との間で光信号が遮断された回数がカウントされてパソコン８に計数信号として表示することができる。
【００２３】
この例に示す計数機２０が組み込まれた捕集網３ａは、図６、図７に示すように所定高さで計数機２０の周囲に起立して被覆し、供給された活魚１０が逃げないための囲いとして構成されている。そして、この捕集網３ａの四隅にロープ４，４が結着されている。
【産業上の利用可能性】
【００２４】
以上詳細に説明したように、本発明は活魚を泳がせながら計数することにより活魚を傷つけるおそれがなく、養殖池とか生け簀の大小に関係なく客観的で正確な計数を行うことができるので、陸上施設のみならず海上生け簀等でも利用可能である。計数には個人差がないので測定者が異なっても計数結果に差異は生じることがなく、稚魚のみならず成魚であっても計数の正確性を期すことができるので、養殖施設等における生育途中や出荷時における活魚の数を正確に、かつ、活魚にストレスを与えることなく計数することができる。
【図面の簡単な説明】
【００２５】
【図１】本発明の第１の実施形態例を示す概要図。
【図２】第１の実施形態例の使用状態を示す概要図。
【図３】第１の実施形態例の次段の使用状態を示す概要図。
【図４】活魚の動きを示す概要図。
【図５】本発明の第２の実施形態例を示す概要図。
【図６】第２の実施形態例の使用状態を示す概要図。
【図７】第２の実施形態例の次段の使用状態を示す概要図。
【図８】計数フレームを示す計数機の裏面図。
【図９】選別網を示す計数機の表面図。
【図１０】計数機の側面図。
【図１１】計数センサの拡大正面図。
【符号の説明】
【００２６】
１…枠体
２，２ａ…養殖施設
２ｂ…ガイド網
３，３ａ…捕集網
４…ロープ
６…計数フレーム
７…信号線
８…パソコン
９…魚網
１０…活魚
１１…光信号発光部
１２…光信号感知部
１３…計数センサ
１４…選別網
１５…選別網フレーム
１６…隔壁
２０…計数機
【図１】
2005102638.tif 000003
【図２】
2005102638.tif 000004
【図３】
2005102638.tif 000005
【図４】
2005102638.tif 000006
【図５】
2005102638.tif 000007
【図６】
2005102638.tif 000008
【図７】
2005102638.tif 000009
【図８】
2005102638.tif 000010
【図９】
2005102638.tif 000011
【図１０】
2005102638.tif 000012
【図１１】
2005102638.tif 000013